(57)【要約】【課題】ガラス扉の開放状態を所定の位置で確実に保持することができる遊技機におけるガラス扉の開放状態保持機構を提供する。【解決手段】パチンコ遊技機におけるガラス扉１３の開放状態保持機構は、ガラス扉１３の背面の軸支側下端に固定される係合部材１８と、前枠１２の段差部１２ａの左端に固定される係止板２５とから構成されている。係合部材１８には係合ピン２１が収容され、該係合ピン２１にはコイルばね２２が装着されている。また、係止板２５の底板２６の外端部には係止縁２８が設けられ、該係止縁２８は断面円弧状をなす円弧面２８ａとなっている。そして、前枠１２に対してガラス扉１３を概ね１１０°回動させたとき、係合ピン２１はコイルばね２２の付勢力により押し下げられ、同係合ピン２１の半球部２１ｂと係止縁２８とが係合し、ガラス扉１３の開放状態が保持されるようになっている。【選択図】      図１
2004229727.tif 000002
【特許請求の範囲】
【請求項１】
遊技機の外枠に開閉可能に取着された四角枠状の前枠の前面に開閉可能に支持される遊技機におけるガラス扉の開放状態保持機構であって、
ガラス扉には係合部材が取り付けられ、該係合部材には係合ピンが移動可能に収容されるとともに、前枠には前記係合部材の対向位置に係止板が設けられ、ガラス扉の回動操作に伴って、係合ピンの先端部が係止板上を摺動し、ガラス扉が所定の角度に開放されたとき係合ピンが係止板の縁部から抜け出し、同係止板の縁部に係合ピンの先端部が係合することにより、ガラス扉の開放状態が前枠に対して所定の角度で保持されるように構成されていることを特徴とする遊技機におけるガラス扉の開放状態保持機構。
【請求項２】
前記係合ピンには同係合ピンをその先端方向へ付勢する付勢部材が取り付けられ、この付勢部材の付勢力により係合ピンの先端部と係止板の縁部とが係合するように構成されている請求項１に記載の遊技機におけるガラス扉の開放状態保持機構。
【請求項３】
前記係止板の縁部は断面円弧状に形成され、係止板の縁部から同係止板上への係合ピンの先端部の移動を案内するように構成されている請求項１又は請求項２に記載の遊技機におけるガラス扉の開放状態保持機構。
【発明の詳細な説明】
【０００１】
【発明の属する技術分野】
本発明は、例えばパチンコ遊技機等の遊技機において、遊技盤が装着される前枠の前面に開閉可能に取着されるガラス扉を前枠に対して所定の角度で開いた状態を保持するための遊技機におけるガラス扉の開放状態保持機構に関するものである。
【０００２】
【従来の技術】
従来より、例えば遊技機の前枠を外枠に対して所定の角度で停止させるために、外枠と前枠との間に停止機構が設けられる。この種の保持機構としては、以下に示すものが知られている（例えば、特許文献１参照）。すなわち、外枠の軸支側前面に設けられる固定部材と前枠の軸支側背面に設けられる可動部材とにより構成されるタイプのものである。
【０００３】
固定部材は筒状をなし、内部には挿入孔が形成された軸受部と、同軸受部から一体形成され、逆Ｌ字状をなす第１取付板部とから構成されている。軸受部の上端の一部には切欠き凹部が形成されることにより第１段差部が設けられている。一方、可動部材は筒状をなし、内部には貫通孔が形成された巻付部と、同巻付部から一体形成され、逆Ｌ字状をなす第２取付板部とから構成されている。巻付部の下端の一部には切欠き凹部が形成されることにより第２段差部が設けられている。また、巻付部の貫通孔にはピンが嵌挿され、このピンが前記軸受部の挿入孔に挿入されることにより前枠が外枠に装着されるようになっている。
【０００４】
そして、前枠を開放する際には、可動部材の第２段差部が固定部材の第１段差部に当接することにより外枠に対する前枠の必要角度以上の開放が規制される。
【０００５】
【特許文献１】
特開平１０−１５６００１号公報（第２頁〜第３頁、図４）
【０００６】
【発明が解決しようとする課題】
ところが、上記従来の技術では、前枠の閉止方向への回動が自由に可能となっており、前枠を外枠に対して所定の角度で保持する機構にはなっていない。このため、作業者が作業用途に応じて外枠に対する前枠の開放状態を保持させようとする場合には、作業者の意図に反して前枠が閉止方向へ回動し、作業効率が悪くなるという問題があった。
【０００７】
この発明は、このような従来技術に存在する問題点に着目してなされたものである。その目的とするところは、ガラス扉の開放状態を所定の位置で確実に保持することができる遊技機におけるガラス扉の開放状態保持機構を提供することにある。
【０００８】
【課題を解決するための手段】
上記の目的を達成するために、請求項１に記載の発明の遊技機におけるガラス扉の開放状態保持機構は、遊技機の外枠に開閉可能に取着された四角枠状の前枠の前面に開閉可能に支持される遊技機におけるガラス扉の開放状態保持機構であって、ガラス扉には係合部材が取り付けられ、該係合部材には係合ピンが移動可能に収容されるとともに、前枠には前記係合部材の対向位置に係止板が設けられ、ガラス扉の回動操作に伴って、係合ピンの先端部が係止板上を摺動し、ガラス扉が所定の角度に開放されたとき係合ピンが係止板の縁部から抜け出し、同係止板の縁部に係合ピンの先端部が係合することにより、ガラス扉の開放状態が前枠に対して所定の角度で保持されるように構成されていることを特徴とするものである。
【０００９】
請求項２に記載の発明の遊技機におけるガラス扉の開放状態保持機構は、請求項１に記載の発明において、前記係合ピンには同係合ピンをその先端方向へ付勢する付勢部材が取り付けられ、この付勢部材の付勢力により係合ピンの先端部と係止板の縁部とが係合するように構成されていることを特徴とするものである。
【００１０】
請求項３に記載の発明の遊技機におけるガラス扉の開放状態保持機構は、請求項１又は請求項２に記載の発明において、前記係止板の縁部は断面円弧状に形成され、係止板の縁部から同係止板上への係合ピンの先端部の移動を案内するように構成されていることを特徴とするものである。
【００１１】
【発明の実施の形態】
以下、本発明をパチンコ遊技機のガラス扉の開放状態保持機構に具体化した実施形態を図面に基づいて詳細に説明する。なお、以下において上下左右は、パチンコ遊技機を前方から見た場合の上下左右を示すものとする。
【００１２】
図７に示すように、外枠１１は、縦長四角枠状に形成され、遊技店内等における設置枠台に固定されるものである。同外枠１１には前枠１２がその上下端部で回動可能かつ着脱可能に支持されている。この前枠１２は縦長四角枠状に形成され、パチンコゲームを展開可能とするための図示しない球皿、打球発射装置等の遊技構成部材が搭載される。また、前枠１２の内側には、釘、入賞器具等の遊技構成部材が配設された四角板状をなす遊技盤１４が保持されている。さらに、前枠１２には下部が上部よりも前方に突出している段差部１２ａが形成されている。
【００１３】
前枠１２の左側上端及び左側中間には四角枠状のガラス扉１３を取着するための一対の蝶番２９がビス等の固定部材１６によって取り付けられ、これら蝶番２９の支軸２９ａを介してガラス扉１３が前枠１２に対して開閉可能に支持されている。ガラス扉１３の内側にはガラス板１５が保持され、前方から遊技盤１４が視認可能となっている。また、図１に示すように、ガラス扉１３の左側下端、つまり軸支側下端には図４で側面逆Ｌ字状をなす補強板１７がビス等の固定部材１６によって固定されている。
【００１４】
ガラス扉１３の開放状態保持機構（以下、単に保持機構という）を構成する係合部材１８は、ガラス扉１３の背面の軸支側下端に前記補強板１７を介してビス等の固定部材１６によって固定されている。
【００１５】
図３に示すように、係合部材１８は係合部材本体としての横長四角板状のブラケット１９と、該ブラケット１９の前面に重合される平面Ω型をなすカバー２０と、前記ブラケット１９とカバー２０との間の空間に収容される係合ピン２１及び付勢部材としてのコイルばね２２とから構成されている。ブラケット１９の中央部上下端には半円板状をなす上部支持板２３及び下部支持板２４がブラケット１９に直交するように折曲げ形成されている。該下部支持板２４の略中央部には円孔状の支持孔２４ａが透設されている。
【００１６】
係合ピン２１は略円柱状をなし、その中央部には拡径された係止鍔２１ａが設けられ、その係止鍔２１ａより下部が前記支持孔２４ａに挿通されるようになっている。そして、図２に示すように、係合ピン２１の係止鍔２１ａより上部外周にはコイルばね２２が一端を係止鍔２１ａの上面に、他端を上部支持板２３の下面に当接させた状態で介装され、このコイルばね２２によって係合ピン２１は下方に付勢されている。図３に示すように、該係合ピン２１の先端部には半球部２１ｂが形成されている。また、両支持板２３、２４を中心とした左右対称位置には一対の第１挿通孔１９ａが透設されている。
【００１７】
前記カバー２０の中央部に設けられた半円筒状の部分は係合ピン収容部２０ａとなるとともに、該係合ピン収容部２０ａを中心とした左右対称位置には、前記第１挿通孔１９ａに連通する一対の第２挿通孔２０ｂが透設されている。そして、前記第２挿通孔２０ｂ及び第１挿通孔１９ａにビス等の固定部材１６が挿通されることにより、カバー２０及びブラケット１９が前記補強板１７を介してガラス扉１３の軸支側下端に装着されている。
【００１８】
図１及び図２に示すように、ガラス扉１３の保持機構を構成する係止板２５は前記係合部材１８に対向する位置、つまり前枠１２の段差部１２ａの左端にビス等の固定部材１６によって固定されている。係止板２５は側面逆Ｌ字状をなし、その底板２６が前枠１２の段差部１２ａの左端に当接され、側板２７がビス等の固定部材１６によって前枠１２の前面に固定されている。図２及び図６に示すように、底板２６の外端部の上端には係止縁２８が設けられ、該係止縁２８は係止板２５をプレス加工する際に生じるダレによって形成され、断面円弧状をなす円弧面２８ａとなっている。
【００１９】
そして、図１及び図２に示すように、ガラス扉１３を概ね１１０°開放させたとき、前記係合ピン２１の半球部２１ｂと係止板２５の係止縁２８とが係合し、前枠１２に対するガラス扉１３の開放状態が保持されるとともに、ガラス扉１３の閉止方向への回動が規制されるようになっている。この場合、係合ピン２１の半球部２１ｂの基端は係止板２５の円弧面２８ａに対向する範囲にある。
【００２０】
ガラス扉１３の背面右側縁及び前枠１２の右側縁には、図示しない施錠装置が装着され、前枠１２に対してガラス扉１３が閉止した状態において、ガラス扉１３が前枠１２に施錠されるようになっている。また、外枠１１の右側縁にも図示しない施錠装置が装着され、外枠１１に対して前枠１２が閉止した状態において、前枠１２が外枠１１に施錠されるようになっている。
【００２１】
遊技機としてのパチンコ遊技機は、外枠１１、前枠１２、ガラス扉１３等から構成され、前枠１２が外枠１１に施錠されるとともに、ガラス扉１３が前枠１２に施錠されて遊技に供される。
【００２２】
次に、前記保持機構の作用について以下に記載する。
さて、図４に示すように、前枠１２に対してガラス扉１３が閉止しているときには、係合ピン２１の半球部２１ｂの先端と係止板２５の底板２６の上面との当接によりコイルばね２２は圧縮状態にあり、これに伴って係合ピン２１には底板２６方向への力が作用している。このとき、係合ピン２１の係止鍔２１ａは係合部材１８の下部支持板２４から上方へ浮いた状態に維持されている。図５に示すように、ガラス扉１３を開放方向へ回動させる際には、前記係合ピン２１の半球部２１ｂの先端は係止板２５の底板２６の上面に摺接しながら同底板２６上を前記蝶番２９の支軸２９ａを中心とする円弧を描いて移動する。
【００２３】
図１に示すように、前枠１２に対してガラス扉１３を概ね１１０°回動させたとき、係合ピン２１の半球部２１ｂは係止板２５の係止縁２８に達する。このとき、係合ピン２１にはコイルばね２２の付勢力により下方への力が作用しており、同係合ピン２１が押し下げられる。そして、係合ピン２１の半球部２１ｂが円弧面２８ａを抜け出し、すなわち滑り落ちて係止縁２８と係合すると同時に係止鍔２１ａが係合部材１８の下部支持板２４の上面に当接する。該係合ピン２１はコイルばね２２により下方に付勢されているため、係合ピン２１の上方への移動が抑制され、係合ピン２１の半球部２１ｂと係止縁２８とが係合した状態が維持される。すなわち、ガラス扉１３は回動が規制され、概ね１１０°開いた開放状態が保持される。
【００２４】
ガラス扉１３の開放状態を保持したまま、遊技盤１４の釘調整、清掃等の作業が行われる。その後、ガラス扉１３を閉止する際には、まずガラス扉１３に対してその閉止方向に向かって外力を加える。すると、図６の二点鎖線に示すように、ガラス扉１３の回動に追従して係合ピン２１がコイルばね２２の付勢力に抗し、係止縁２８の円弧面２８ａに沿って滑りながら係止板２５の底板２６の上面に至る。このとき、係合ピン２１の係止鍔２１ａは押し上げられ、係合部材１８の下部支持板２４から浮いている。さらに、ガラス扉１３を閉止方向に回動させると、係合ピン２１の半球部２１ｂの先端は係止板２５の底板２６の上面に摺接しながらガラス扉１３の回動に追従して同底板２６上を移動し、図４に示すように、前枠１２に対してガラス扉１３が閉止される。
【００２５】
前記の実施形態によって発揮される効果について、以下に記載する。
・  実施形態の遊技機におけるガラス扉１３の開放状態保持機構は、ガラス扉１３に固定される係合部材１８と、前枠１２に取り付けられる係止板２５とから構成されている。そして、前枠１２に対してガラス扉１３を概ね１１０°回動させたとき、係合部材１８に収容された係合ピン２１の先端部と係止板２５の係止縁２８とが係合するようになっている。このため、ガラス扉１３の閉止方向への回動が規制され、その開放状態を所定の位置、つまり前枠１２に対して概ね１１０°開いた状態で確実に保持することができる。
【００２６】
・  また、係合ピン２１の係止鍔２１ａより上部外周にはコイルばね２２が装着され、このコイルばね２２によって係合ピン２１は下方に付勢されている。このため、係合ピン２１の上方への移動が規制され、係合ピン２１の先端部と係止縁２８とが係合した状態が維持される。従って、ガラス扉１３の開放状態を所定の位置、つまり前枠１２に対して概ね１１０°開いた状態でより確実に保持することができる。
【００２７】
・  さらに、係止板２５の係止縁２８は断面円弧状をなす円弧面２８ａとなっている。このため、係合ピン２１の先端部と係止板２５の係止縁２８との係合を解除する際には、係合ピン２１は係止縁２８の円弧面２８ａに案内されながらガラス扉１３の回動に追従して移動する。従って、係合ピン２１の先端部と係止板２５の係止縁２８との係合の解除を円滑に行うことができる。
【００２８】
・  係合ピン２１の先端部には半球部２１ｂが形成されている。このため、ガラス扉１３の閉止方向への回動に伴って係合ピン２１の先端部と係止板２５の係止縁２８との係合が解除される際には、係合ピン２１は前記係止板２５の係止縁２８に加えて同係合ピン２１の半球部２１ｂに案内されるようになっている。従って、係合ピン２１の先端部と係止板２５の係止縁２８との係合の解除をさらに円滑に行うことができる。
【００２９】
なお、本実施形態は、次のように変更して具体化することも可能である。
・  係止板２５の係止縁２８が基端側から先端側へ向かうに連れて厚みが薄くなる傾斜面となる構成を採用してもよい。
【００３０】
・  係止板２５の係止縁２８に切欠き部を設け、この切欠き部に係合ピン２１の半球部２１ｂが係合するような構成を採用してもよい。
・  コイルばね２２を設けず、係合ピン２１が自重で作動する構成を採用してもよい。すなわち、係合部材１８のブラケット１９の上部支持板２３にも支持孔が設けられ、この支持孔には係合ピン２１の基端部が挿通される。
【００３１】
ガラス扉１３が回動する際には、係合ピン２１はその係止鍔２１ａが係合部材１８の下部支持板２４から上方へ浮いた状態で移動する。そして、係合ピン２１の半球部２１ｂと係止板２５の係止縁２８とが係合する際には、係合ピン２１が自重によって下がり、係止鍔２１ａが下部支持板２４の上面に当接する。このとき、係合ピン２１はその基端部が上部支持板２３の支持孔に挿通支持された状態で係合部材１８内に安定に保持される。
【００３２】
・  ガラス扉１３を開放方向へ９０〜１２０°回動させたときにガラス扉１３の開放状態が保持されるような構成を採用してもよい。このとき、前枠１２に対するガラス扉１３の開放状態の保持角度に応じて、係止板２５の底板２６の前後方向への長さが調整される。
【００３３】
・  ガラス扉１３の軸支側上端に本実施形態の保持機構を設けてもよく、上下両端に保持機構を設けてもよい。この保持機構を上下両端に設けた場合、２つの保持機構によってガラス扉１３の閉止方向への回動がより規制され、ガラス扉１３の開放状態を所定の位置でさらに確実に保持することができる。
【００３４】
・  実施形態のガラス扉保持機構をパチスロ遊技機等の他の遊技機においても使用してもよい。
さらに、前記実施形態より把握できる技術的思想について以下に記載する。
【００３５】
・  前記係合ピンの先端部は断面円弧状に形成されていることを特徴とする請求項１から請求項３のいずれか一項に記載の遊技機におけるガラス扉の開放状態保持機構。このように構成した場合、係合ピンの先端部と係止板の縁部との係合の解除をより円滑に行うことができる。
【００３６】
・  前記係合部材は、板状をなし、対向する端部には支持板が折曲げ形成されるとともに、その一方には支持孔が透設されている係合部材本体と、柱状をなし、中間部には係止鍔が設けられ、該係止鍔よりも先端側が前記支持孔に挿通される係合ピンと、該係合ピンの係止鍔より基端側外周には一端を係止鍔に、他端を他方の支持板に当接させた状態で介装され、係合ピンをその先端方向へ付勢する付勢部材とを備えていることを特徴とする請求項１から請求項３のいずれか一項に記載の遊技機におけるガラス扉の開放状態保持機構。このように構成した場合、簡易な構成で係合ピンの先端部と係止板の縁部との係合を確実に行うことができる。
【００３７】
【発明の効果】
以上詳述したように、この発明によれば、次のような効果を奏する。
請求項１に記載の発明の遊技機におけるガラス扉の開放状態保持機構によれば、ガラス扉の開放状態を所定の位置で確実に保持することができる。
【００３８】
請求項２に記載の発明の遊技機におけるガラス扉の開放状態保持機構によれば、ガラス扉の開放状態を所定の位置でより確実に保持することができる。
請求項３に記載の発明の遊技機におけるガラス扉の開放状態保持機構によれば、請求項１又は請求項２に記載の発明の効果に加えて、係合ピンの先端部と係止板の縁部との係合の解除を円滑に行うことができる。
【図面の簡単な説明】
【図１】前枠に対してガラス扉を概ね１１０°回動させたときの実施形態におけるガラス扉の開放状態保持機構を示す斜視図。
【図２】図１の状態におけるガラス扉の開放状態保持機構を示す右側断面図。
【図３】係合部材を示す分解斜視図。
【図４】ガラス扉を閉止させたときのガラス扉の開放状態保持機構を示す右側断面図。
【図５】ガラス扉が回動しているときのガラス扉の開放状態保持機構を示す斜視図。
【図６】係合ピンの半球部と係止板の係止縁との係合が解除されるときの作用を示す部分拡大図。
【図７】遊技機としてのパチンコ遊技機を示す斜視図。
【符号の説明】
１１…外枠、１２…前枠、１３…ガラス扉、１８…保持機構を構成する係合部材、２１…係合ピン、２２…付勢部材としてのコイルばね、２５…保持機構を構成する係止板、２８…縁部としての係止縁。
【図１】
2004229727.tif 000003
【図２】
2004229727.tif 000004
【図３】
2004229727.tif 000005
【図４】
2004229727.tif 000006
【図５】
2004229727.tif 000007
【図６】
2004229727.tif 000008
【図７】
2004229727.tif 000009